(57)【要約】【課題】ＤＮＯＡを含有する溶液において該ＤＮＯＡを正確に分析する手法を提供する。【解決手段】ジ−ｎ−オクチルアミン（ＤＮＯＡ）を含有する酸性有機溶媒に対してアルカリ水溶液を接触させる接触工程と、接触工程後に得られる有機相をガスクロマトグラフにかけてＤＮＯＡを分離する分離工程と、分離されたＤＮＯＡを分析する分析工程と、を有する、ジ−ｎ−オクチルアミン（ＤＮＯＡ）の分析方法を提供する。【選択図】図１
2019032304.tif 000002
【特許請求の範囲】
【請求項１】
ジ−ｎ−オクチルアミン（ＤＮＯＡ）を含有する酸性有機溶媒に対してアルカリ水溶液を接触させる接触工程と、
前記接触工程後に得られる有機相をガスクロマトグラフにかけてＤＮＯＡを分離する分離工程と、
分離されたＤＮＯＡを分析する分析工程と、
を有する、ジ−ｎ−オクチルアミン（ＤＮＯＡ）の分析方法。
【請求項２】
前記ＤＮＯＡは、前記酸性有機溶媒中のトリ−ｎ−オクチルアミン（ＴＮＯＡ）に由来する、請求項１に記載のジ−ｎ−オクチルアミン（ＤＮＯＡ）の分析方法。
【請求項３】
前記分析工程においては質量分析法または水素炎イオン化検出器（ＦＩＤ）による分析を行う、請求項１または２に記載のジ−ｎ−オクチルアミン（ＤＮＯＡ）の分析方法。
【請求項４】
前記分析工程においてはクロマトグラムにおけるＤＮＯＡ由来のピーク面積からＤＮＯＡについての定量分析を行う、請求項１〜３のいずれかに記載のジ−ｎ−オクチルアミン（ＤＮＯＡ）の分析方法。 
【発明の詳細な説明】
【技術分野】
【０００１】
本発明は、ジ−ｎ−オクチルアミン（ＤＮＯＡ）の分析方法に属する。
【背景技術】
【０００２】
特許文献１に記載されているトリ−ｎ−オクチルアミン（ＴＮＯＡ）は劣化するとジ−ｎ−オクチルアミン（ＤＮＯＡ）に変化することが知られている。以降、該ＤＮＯＡのことを“ＴＮＯＡに由来するＤＮＯＡ”とも称する。
また、特許文献１には該ＤＮＯＡをガスクロマトグラフ質量分析（ＧＣ−ＭＳ）法により分析したことが開示されている。
【先行技術文献】
【特許文献】
【０００３】
【特許文献１】特開２０１５−２０９５８２号公報
【発明の概要】
【発明が解決しようとする課題】
【０００４】
本発明者の調べにより、ＴＮＯＡと該ＴＮＯＡに由来するＤＮＯＡとを分別定量すべくガスクロマトグラフ質量分析法を使用してＤＮＯＡの濃度を定量しようとしても、実際の濃度よりも高い定量結果となり、正しく定量できないことが明らかとなった。
【０００５】
本発明の課題は、ＤＮＯＡを含有する溶液において該ＤＮＯＡを正確に分析する手法を提供することにある。
【課題を解決するための手段】
【０００６】
本発明者は上記の知見に基づき、上記課題を解決するための手段を検討した。その結果、ＤＮＯＡを含有する有機溶媒が酸性の場合、上記の課題が生じることが明らかとなった。そして本発明者が鋭意検討を加えた結果、該酸性有機溶媒に対し、アルカリ水溶液を接触させた後に得られる有機相（ＤＮＯＡ含有）に対してガスクロマトグラフ質量分析法を使用してＤＮＯＡについての分析を行えば上記課題が解決できるという知見を得た。
【０００７】
上記の知見に基づいて成された本発明の態様は、以下の通りである。
本発明の第１の態様は、
ジ−ｎ−オクチルアミン（ＤＮＯＡ）を含有する酸性有機溶媒に対してアルカリ水溶液を接触させる接触工程と、
前記接触工程後に得られる有機相をガスクロマトグラフにかけてＤＮＯＡを分離する分離工程と、
分離されたＤＮＯＡを分析する分析工程と、
を有する、ジ−ｎ−オクチルアミン（ＤＮＯＡ）の分析方法である。
【０００８】
本発明の第２の態様は、第１の態様に記載の発明において、
前記ＤＮＯＡは、前記酸性有機溶媒中のトリ−ｎ−オクチルアミン（ＴＮＯＡ）に由来する。
【０００９】
本発明の第３の態様は、第１または第２の態様に記載の発明において、
前記分析工程においては質量分析法または水素炎イオン化検出器（ＦＩＤ）による分析を行う。
【００１０】
本発明の第４の態様は、第１〜第３のいずれかの態様に記載の発明において、
前記分析工程においてはクロマトグラムにおけるＤＮＯＡ由来のピーク面積からＤＮＯＡについての定量分析を行う。
【発明の効果】
【００１１】
本発明によれば、ＤＮＯＡを含有する溶液において該ＤＮＯＡを正確に分析する手法を提供することが可能となる。
【図面の簡単な説明】
【００１２】
【図１】酸性有機溶媒中にてプロトン化（塩酸塩化）したＤＮＯＡを、アルカリ水溶液との接触により、遊離アミンへと変化させる様子を示す説明図である。
【図２】実施例１におけるガスクロマトグラフ質量分析法のクロマトグラムを示す図である。
【図３】比較例１におけるガスクロマトグラフ質量分析法のクロマトグラムを示す図である。
【発明を実施するための形態】
【００１３】
本発明の実施の形態について、以下に説明する。本実施形態に係るジ−ｎ−オクチルアミン（ＤＮＯＡ）の分析方法においては大きく分けて主に以下の２つの工程を有する。
・トリ−ｎ−オクチルアミン（ＴＮＯＡ）と該ＴＮＯＡに由来するジ−ｎ−オクチルアミン（ＤＮＯＡ）とを含有する酸性有機溶媒に対してアルカリ水溶液を接触させる接触工程
・接触工程後に得られる有機相をガスクロマトグラフ質量分析法により分析する分析工程
【００１４】
接触工程は一具体例を挙げると以下の作業を行う。
まず、ＴＮＯＡと該ＴＮＯＡに由来するＤＮＯＡを含む酸性有機溶媒をガラス瓶などに一定量秤量する。酸性有機溶媒においてはＤＮＯＡは図１に示すようにプロトン化している。本明細書における“酸性有機溶媒”のｐＨは、ＤＮＯＡがプロトン化する程度に低いｐＨである。
【００１５】
本工程においては、その状態の酸性有機溶媒に対してアルカリ水溶液を添加する。該酸性有機溶媒はＴＮＯＡとＤＮＯＡとを含有しているため有機相であり、これに対してアルカリ水溶液を添加することから、いわゆる有機相と水相との２相接触の状態を本工程にて作り出す。そしてこの２相接触の状態において、一定時間攪拌する。こうすることにより、図１に示すように、プロトン化したＤＮＯＡは脱プロトン化して遊離アミンの状態へと変化する。このようにＤＮＯＡを遊離アミンの状態とした後にガスクロマトグラフ質量分析法による測定を行うと、本工程を行わない場合に比べ、ＴＮＯＡに由来するＤＮＯＡを正確に分析することが可能となる。詳しくは後述の実施例の項目にて説明する。
【００１６】
このとき、使用するアルカリ水溶液の溶質としては水酸化ナトリウムのような水酸化物塩、炭酸塩、アンモニアなどいかなるものを用いてもよい。酸性有機溶媒中に含まれるすべてのアミン塩酸塩を遊離アミンまで中和するのに必要十分な濃度のアルカリを添加するのが好ましい。こうすることにより、溶液中に標準溶液と形態の異なる状態のアミンを存在させずに済み、ひいては正確な定量を行うことが確実化される。
【００１７】
次のＤＮＯＡの分離工程および分析工程では、一具体例を挙げると以下の作業を行う。
接触工程により得られた２相の溶液からＴＮＯＡとＴＮＯＡに由来するＤＮＯＡとを含有する有機相を分取し、ガスクロマトグラフ質量分析計測定用のバイアルに移液し、測定を行い（ＤＮＯＡの分離工程）、ＤＮＯＡに由来するピークの面積を算出する。そして、事前に試薬のＤＮＯＡを用いて作成しておいた、ピーク面積と濃度との関係を表す検量線を利用し、ＤＮＯＡ濃度を算出する。
【００１８】
別の具体例を挙げると以下の作業を行う。
接触工程後に得られる有機相をガスクロマトグラフにかけてＤＮＯＡを分離する分離工程を行う。
そして、分離されたＤＮＯＡに対し、水素炎イオン化検出器（ＦＩＤ）による分析を行う。
【００１９】
なお、本発明の技術的範囲は上述した実施の形態に限定されるものではなく、発明の構成要件やその組み合わせによって得られる特定の効果を導き出せる範囲において、種々の変更や改良を加えた形態も含む。
【００２０】
本実施形態においてはＴＮＯＡに由来するＤＮＯＡに対する正確な分析を行うことを課題および効果に設定したが、上記の手法はそれに限定されない。例えば市販されたＤＮＯＡを購入者が再確認すべく上記の手法を用いても構わず、ＤＮＯＡに対する正確な分析を行うという課題が生じ且つ効果を奏することになる。この内容をまとめると以下のようになる。
『ジ−ｎ−オクチルアミン（ＤＮＯＡ）を含有する酸性有機溶媒に対してアルカリ水溶液を接触させる接触工程と、
前記接触工程後に得られる有機相をガスクロマトグラフ質量分析法により分析する分析工程と、
を有する、ジ−ｎ−オクチルアミン（ＤＮＯＡ）の分析方法。』
【実施例】
【００２１】
以下、本実施例について説明する。なお、本発明の技術的範囲は以下の実施例に限定されるものではない。
以下の実施例および比較例で用いた試薬は次の通りである。
・ジ−ｎ−オクチルアミン：東京化成工業製
・トリ−ｎ−オクチルアミン：東京化成工業製
・希釈溶剤：芳香族炭化水素（丸善石油化学製：商品名スワゾール１８００）
また、ガスクロマトグラフ質量分析法による測定を行った際の装置・測定条件を以下の表１に示す。
【表１】
2019032304.tif 000003
【００２２】
［実施例１］
ＴＮＯＡと該ＴＮＯＡに由来するＤＮＯＡとを含有する酸性有機溶媒を５０ｍＬのメスフラスコに１ｇ採取し、希釈溶剤を用いて５０ｍＬに定容した。その酸性有機溶媒を蓋付のガラス容器に１０ｍＬ採取した。
そこに５ｗｔ％の濃度に調製した水酸化ナトリウム水溶液を１０ｍＬ加え、いわゆる２相接触の状態を作り出した。振とう機を用いて、この状態の溶液を１０分間振とうさせた後、１時間静置した。
その後、有機相を測定用のバイアル瓶に移液し、ガスクロマトグラフ質量分析装置にセットし、表１の条件で測定を行い、図２に示すクロマトグラムを得た（図２中の実試料溶液）。
なお、標準溶液と実試料溶液と添加回収試験用溶液とのクロマトグラムの比較図を図２に示す。ここで言う添加回収試験用溶液とは、実試料溶液に対して標準溶液を加えたものである。
その目的の一つは、添加回収試験での回収率の結果を得るためのものである。具体的には、試料を１ｇ採取したものを５０ｍＬに定容する前に、その溶液中に一定量の標準溶液を添加した場合、（添加回収試験溶液の測定濃度）−（実試料の測定濃度）＝（添加した分の濃度）の式によれば、正確な測定が行われるのならば（添加した分の濃度）が（実際に添加した分の濃度）と一致して回収率が１００％となるはずである。正確な測定が行われているか否かを確認することが目的の一つである。
また、別の目的としては、クロマトグラムにおいて標準溶液、実試料溶液、添加回収試験用溶液各々でピーク位置にずれが生じた場合、何が原因でずれが生じているのかを確かめるためのものである。
なお、事前に検量線を得ておいた。具体的には、既知量のＤＮＯＡに対し、マトリックスマッチング用に一定量のＴＮＯＡを添加し、希釈剤で溶解して得た標準溶液を用い、検量線を得ておいた。該検量線に基づき、算出したＤＮＯＡ濃度は５．１ｗｔ％であった。また、添加回収試験の回収率は１００％と正確に定量することが可能であった。
その結果、標準溶液と実試料溶液および添加回収試験用溶液すべてのピーク形状が一致しており、実試料溶液中のＤＮＯＡが標準溶液中と同じ形態になっていることが分かった。
【００２３】
［比較例１］
実施例１における接触工程を行わなかったことを除けば実施例１と同じ操作で分析を行った。
その結果、ＤＮＯＡ濃度は６．１ｗｔ％と算出された。添加回収試験の回収率も１２０％と高めとなり、この方法では、真値よりも２割程度高い定量値を出してしまうことが分かった。
なお、比較例１における標準溶液と実試料溶液および添加回収試験用の溶液のクロマトグラムの比較図を図３に示すが、標準溶液と実試料溶液ではピーク位置、ピーク形状が異なっており、添加回収試験用の溶液のピークは両者が重なった形状をしていた。これは、形態が異なる２種の化合物を含有した状態となっていることを示すものであり、プロトン化したＤＮＯＡと、該ＤＮＯＡが脱プロトン化して遊離アミンの状態となったＤＮＯＡとの２種が含有されているものと推察される。そしてその２種が存在することが原因で、定量値の真値よりも高い値（濃度、回収率）が産出されてしまうものと推察される。  
【図１】
2019032304.tif 000004
【図２】
2019032304.tif 000005
【図３】
2019032304.tif 000006